【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
ａ）高温側および低温側を含む熱交換器であって、前記高温側は、前記気体の供給を受け取るように構成される供給気体入口を有し、前記低温側は、生成物が前記熱交換器を出る生成物出口を有しており、前記供給気体入口および前記生成物出口と連通する冷却流路、予備冷却液体流路、予備冷却の冷却流路、高圧流路、および１次冷却流路をさらに含む、前記熱交換器と、
ｂ）気体出口を有する吸引分離装置と、
ｃ）前記吸引分離装置の前記気体出口および出口と流体連通する吸引入口を有する第１段圧縮機と、
ｄ）前記第１段圧縮機の前記出口および出口と流体連通する入口を有する第１段後部冷却器と、
ｅ）前記第１段後部冷却器の前記出口と流体連通する入口を有し、前記熱交換器の前記高圧流路と流体連通する気体出口、および前記熱交換器の前記予備冷却液体流路と流体連通する液体出口を有する中間段分離装置と、
ｆ）前記熱交換器の前記予備冷却液体流路と流体連通する入口、および前記熱交換器の前記予備冷却の冷却流路と連通する出口を有する第１の膨張装置と、
ｇ）前記熱交換器の前記高圧流路と流体連通する入口、および前記熱交換器の前記１次冷却流路と連通する出口を有する第２の膨張装置と、
ｈ）混合相流を生成するように構成される前記予備冷却の冷却流路、および気体流を生成するように構成される前記１次冷却流路と、
ｉ）前記気体流を受け取るために前記熱交換器の前記１次冷却流路の出口とさらに流体連通する前記吸引分離装置とを含む、混合冷媒により気体を冷却するシステム。
【請求項２】
前記予備冷却の冷却流路は、前記低温側ではなく、前記熱交換器の前記高温側を通過し、前記１次冷却流路は、前記熱交換器の前記高温側および低温側を通過し、前記中間段分離装置は、前記冷媒の重い画分を含む液体流を生成するように構成され、その結果、前記気体の冷却曲線の高温側、および前記冷媒の冷却曲線の高温側は、混合相流を生成する前記予備冷却の冷却流路、および気体流を生成する前記１次冷却流路により互いに近づく、請求項１に記載のシステム。
【請求項３】
前記吸引分離装置は、前記熱交換器の前記１次冷却流路と連通する気体入口、および前記熱交換器の前記予備冷却の冷却流路と連通する混合相入口を含み、その結果、前記１次冷却流路からの前記気体流、および前記予備冷却の冷却流路からの前記混合相流は、前記吸引分離装置内で結合および平衡化され、前記第１段圧縮機の電力消費を低減するために、前記第１段圧縮機の前記吸引入口に冷却気体流を供給する、請求項１に記載のシステム。
【請求項４】
前記冷却気体流は、熱伝達および質量伝達によりもたらされる、請求項３に記載のシステム。
【請求項５】
前記吸引分離装置は、液体出口を含んでおり、前記吸引分離装置の前記液体出口と連通する入口、および前記中間段分離装置と流体連通する出口を有するポンプをさらに含む、請求項３に記載のシステム。
【請求項６】
前記冷却流路、前記高圧流路、および前記１次冷却流路は、前記熱交換器の前記高温側および低温側を通過する、請求項１に記載のシステム。
【請求項７】
前記予備冷却液体流路および前記予備冷却の冷却流路は、前記熱交換器の前記低温側ではなく、前記熱交換器の前記高温側を通過する、請求項６に記載のシステム。
【請求項８】
前記予備冷却液体流路および前記予備冷却の冷却流路は、前記熱交換器の前記低温側ではなく、前記熱交換器の前記高温側を通過する、請求項１に記載のシステム。
【請求項９】
前記気体の前記供給を受け取り、それを冷却し、前記冷却気体を前記熱交換器の前記気体供給入口に導くように構成される第１の予備冷却システムをさらに含む、請求項１に記載のシステム。
【請求項１０】
前記第１の予備冷却システムは、予備冷却システム冷媒として単一成分冷媒を使用する、請求項９に記載のシステム。
【請求項１１】
前記第１の予備冷却システムは、予備冷却システム冷媒として第２の混合冷媒を使用する、請求項９に記載のシステム。
【請求項１２】
前記第１段圧縮機の前記出口と前記中間段分離装置の前記入口との間の回路内の第２の予備冷却システムをさらに含む、請求項９に記載のシステム。
【請求項１３】
前記第１および第２の予備冷却システムは、単一の予備冷却システム内に含まれる、請求項１２に記載のシステム。
【請求項１４】
前記第１段圧縮機の前記出口と前記中間段分離装置の前記入口との間の回路内の予備冷却システムをさらに含む、請求項１に記載のシステム。
【請求項１５】
前記予備冷却システムは、予備冷却システム冷媒として単一成分冷媒を使用する、請求項１４に記載のシステム。
【請求項１６】
前記予備冷却システムは、予備冷却システム冷媒として第２の混合冷媒を使用する、請求項１４に記載のシステム。
【請求項１７】
前記吸引分離装置は、入口を含んでおり、前記熱交換器の前記１次冷却流路と流体連通する気体入口、および前記熱交換器の前記予備冷却の冷却流路と連通する混合相入口を有する混合装置であって、その結果、前記１次冷却流路からの前記気体流、および前記予備冷却の冷却流路からの前記混合相流は、前記混合装置内で結合および混合されるが、前記吸引分離装置の前記入口と連通する出口をさらに有し、その結果、前記結合および混合した流れは、前記吸引分離装置に供給される、混合装置をさらに含む、請求項１に記載のシステム。
【請求項１８】
前記混合装置は、静止混合器を含む、請求項１７に記載のシステム。
【請求項１９】
前記混合装置は、パイプ部分を含む、請求項１７に記載のシステム。
【請求項２０】
前記混合装置は、前記熱交換器の管寄せを含む、請求項１７に記載のシステム。
【請求項２１】
前記熱交換器の前記予備冷却の冷却流路と流体連通する入口、前記吸引分離装置と連通する気体出口、および前記中間段分離装置と連通する液体出口を有し、その結果、前記第１段圧縮機の前記吸引入口は、前記第１段圧縮機の電力需要量を低減するために、低減した気体モル流量を受け取る、帰還分離装置をさらに含む、請求項１に記載のシステム。
【請求項２２】
前記帰還分離装置の前記液体出口と前記中間段分離装置との間の回路内のポンプをさらに含む、請求項２１に記載のシステム。
【請求項２３】
前記帰還分離装置および中間段分離装置は、ドラムである、請求項２１に記載のシステム。
【請求項２４】
前記帰還ドラムおよび中間段ドラムは、結合されて単一のドラムになる、請求項２３に記載のシステム。
【請求項２５】
前記吸引分離装置および中間段分離装置は、ドラムである、請求項１に記載のシステム。
【請求項２６】
前記第１および第２の膨張装置は、膨張弁である、請求項１に記載のシステム。
【請求項２７】
ａ）第１および最終の圧縮冷却サイクルを使用して、混合冷媒を圧縮および冷却するステップと、
ｂ）高圧液体流および気体流が生成されるように、前記第１および最終の圧縮冷却サイクルの後、前記混合冷媒を平衡化および分離するステップと、
ｃ）１次冷却流が前記熱交換器内に供給されるように、前記高圧液体流および気体流を冷却および膨張させるステップと、
ｄ）予備冷却液体流が生成されるように、前記第１および最終の圧縮冷却サイクル間に前記混合冷媒を平衡化および分離するステップと、
ｅ）前記予備冷却液体流が冷却されるように、前記１次冷却流と向流熱交換させながら、前記予備冷却液体流を前記熱交換器に通すステップと、
ｆ）予備冷却の冷却流が生成されるように、前記冷却された予備冷却液体流を膨張させるステップと、
ｇ）前記予備冷却の冷却流を前記熱交換器に通すステップと、
ｈ）前記気体が冷却され、混合相流が前記予備冷却の冷却流から生成され、気体流が前記１次冷却流から生成されるように、前記１次冷却流および前記予備冷却の冷却流と向流熱交換させながら、前記気体流を前記熱交換器に通すステップとを含む、高温側および低温側を有する熱交換器内の気体を冷却する方法。
【請求項２８】
ステップｈ）は、２相流をもたらす、気体流および前記予備冷却の冷却流を供給する、前記１次冷却流をもたらし、
ｉ）前記圧縮機の温度を低下させるために、第１の圧縮冷却サイクル圧縮機に低減した温度の気体流を供給するように、前記第１の圧縮冷却サイクルの前に前記気体流および前記２相流を混合するステップをさらに含む、請求項２７に記載の方法。
【請求項２９】
ｊ）前記低減した温度の気体流および冷却された液体流が生成されるように、前記気体流および前記２相流を平衡化および分離するステップと、
ｋ）前記最終の圧縮冷却サイクルの前に、前記冷却された液体流が前記混合冷媒と再結合するように、前記冷却された液体流を吸引するステップとをさらに含む、請求項２８に記載の方法。
【請求項３０】
ｉ）帰還気体流および帰還液体流が生成されるように、前記混合相流を平衡化および分離するステップと、
ｊ）結合流を生成し、前記第１の圧縮冷却サイクルに導くように、前記帰還気体流、および前記１次冷却流からの前記気体流を平衡化および分離するステップとをさらに含む、請求項２７に記載の方法。
【請求項３１】
前記最終の圧縮冷却サイクルの前に、前記帰還液体流が前記混合冷媒と再結合するように、前記帰還液体流を吸引するステップをさらに含む、請求項３０に記載の方法。
【請求項３２】
ステップｃ）は、前記高圧気体流および高圧液体流が冷却されるように、前記１次冷却流および前記予備冷却の冷却流と向流熱交換させながら、前記高圧気体流および高圧液体流を前記熱交換器に通すステップを含む、請求項２７に記載の方法。
【請求項３３】
前記気体は、天然ガスである、請求項２７に記載の方法。
【請求項３４】
前記圧縮冷却、ならびに前記第１および最終の圧縮冷却サイクルの一部は、圧縮機および熱交換器により達成される、請求項２７に記載の方法。
【請求項３５】
前記気体流および前記１次冷却流は、前記熱交換器の前記高温側および低温側のどちらも通過する、請求項２７に記載の方法。
【請求項３６】
前記予備冷却の冷却流は、前記熱交換器の前記高温側を通過するが、前記熱交換器の前記低温側を通過しない、請求項３５に記載の方法。
【請求項３７】
ステップｃ）およびｆ）の前記膨張は、膨張装置により達成される、請求項２７に記載の方法。
【請求項３８】
前記膨張装置は、膨張弁である、請求項３７に記載の方法。
【請求項３９】
前記気体は、ステップｈ）でさらに液化される、請求項２７に記載の方法。
【請求項４０】
前記予備冷却気体流を前記熱交換器に通す前に、前記気体を予備冷却するステップをさらに含む、請求項２７に記載の方法。
【請求項４１】
前記第１の圧縮冷却サイクルの後、前記混合冷媒を予備冷却するステップをさらに含む、請求項２７に記載の方法。
【請求項４２】
前記最終の圧縮冷却サイクルの後、前記混合冷媒を予備冷却するステップをさらに含む、請求項２７に記載の方法。
【請求項４３】
下流混合冷媒システム内でステップｈ）からの前記冷却気体をさらに冷却するステップをさらに含む、請求項２７に記載の方法。
【請求項４４】
下流混合冷媒システム内でステップｈ）からの前記冷却気体を液化するステップをさらに含む、請求項２７に記載の方法。
【請求項４５】
前記気体は、混合冷媒である、請求項２７に記載の方法。